(57)【要約】【課題】液晶、プラズマ、有機ＥＬなどの表示パネルにより画像を表示することができる各種の画像表示装置において、作業効率を低下させずに液晶表示装置の表示面のごみや埃など異物を清掃し、また清掃した直後にごみや埃など異物が入り込んでしまう可能性を低減する表示面保護パネル、表示装置および表示装置の製造方法を提供する。【解決手段】表示パネルの表示面の異物を拭き取るための表示面清掃クッションを少なくとも１つの辺に備える、前記表示面を保護する表示面保護パネルを、前記表示面清掃クッションが前記表示面に接するように移動させて装着する構成とする。【選択図】図１
2011075752.tif 000002
【特許請求の範囲】
【請求項１】
表示パネルの表示面を保護する表示面保護パネルにおいて、
前記表示面の異物を拭き取るための表示面清掃クッションを備える辺を有することを特徴とする、表示面保護パネル。
【請求項２】
表示パネルの表示面が表示面保護パネルによって保護される表示装置において、
前記表示面保護パネルは、前記表示面の異物を拭き取るための表示面清掃クッションを備える辺を有することを特徴とする、表示装置。
【請求項３】
前記表示面保護パネルの前記表示面清掃クッションを備える辺と対向する辺に、異物の侵入を防止する防塵ラバーを備えることを特徴とする、請求項２に記載の表示装置。
【請求項４】
前記表示面の、前記表示面保護パネルが装着されたときに前記表示面清掃クッションを備える辺と前記表示面を挟んで対向する辺に、前記表示面保護パネルの前記表示面と対向する面の異物を拭き取るための表示面保護パネル清掃クッションを備えることを特徴とする、請求項２に記載の表示装置。
【請求項５】
前記表示面清掃クッションを備える辺と直交する辺に、前記防塵ラバーが備えられていることを特徴とする、請求項２ないし請求項４に記載の表示装置。
【請求項６】
表示パネルの表示面の異物を拭き取るための表示面清掃クッションを備える辺を有する、前記表示面を保護する表示面保護パネルを、前記表示面清掃クッションが前記表示面に接するように移動させて装着することを特徴とする、表示装置の製造方法。
【発明の詳細な説明】
【技術分野】
【０００１】
本発明は、液晶、プラズマ、有機ＥＬなどの表示パネルにより画像を表示することができる各種の画像表示装置において、その表示面を保護するための表示面保護パネル、表示面保護パネルを構成に含む表示装置、および、表示装置の製造方法に関する。
【背景技術】
【０００２】
液晶、プラズマ、有機ＥＬなどにより画像を表示することができる各種の画像表示装置において、それら画面の表面は傷つきやすく、またユーザが直接触れたりする場合がある。そのため、ユーザが直接触れても大丈夫なように、画面表面が直接露出しない構造にするため表示面保護パネルを装着している。
【０００３】
そのような構造の場合、製造において画面表面と表示面保護パネルとの間の隙間にごみや埃などの異物が入り込まないように、クリーンルームのように異物が少ない環境で、更にエアースプレーや粘着性のローラ等を用いて画面表面の清掃作業を行うなどした後、表示面保護パネルを表示装置に装着している。
【０００４】
このように、製造において画面表面と表示面保護パネルとの間に異物が入り込むのを防止する製造方法が提案されてきており、例えば特許文献１には、シート部品により表示装置を収容する筐体に開口した表示窓部を覆うことで、画像表示装置が筐体から露出するのを防止し、異物の進入を防ぐ方法が記載されている。
【先行技術文献】
【特許文献】
【０００５】
【特許文献１】特開２００５−１５６８１９号公報
【発明の概要】
【発明が解決しようとする課題】
【０００６】
表示装置の製造において表示面保護パネルを装着する際、組立作業の合間に清掃工程が必要となる為、組み立て機材から清掃用機材であるエアースプレーや粘着性ローラなどに持ち替えて画面表面の清掃を行っており、作業効率が低下していた。また、シート部品により異物の進入を防いでいた場合でも、組立作業の合間で剥離紙をはがす作業や異物が残っていないか確認する作業が必要であり、やはり作業効率が低下してしまう。
【０００７】
さらに、エアースプレーや粘着性ローラで清掃し、あるいは、シート部品の剥離紙をはがし、異物が残っていないことを確認した直後から、表示面保護パネルを装着するまでの間において、清掃した表示面と表示面保護パネルの隙間に異物が入り込んでしまう可能性が依然としてあった。
【０００８】
そこで、本発明は、作業効率を低下させずに表示装置の表面を清掃し、また清掃した直後にごみや埃など異物が入り込んでしまう可能性を低減する表示面保護パネル、表示装置および表示装置の製造方法を提供することを目的とする。
【課題を解決するための手段】
【０００９】
本発明の表示面保護パネルは、表示パネルの表示面を保護する表示面保護パネルにおいて、前記表示面の異物を拭き取るための表示面清掃クッションを備える辺を有することを特徴とする。
【００１０】
本発明の表示装置は、表示パネルの表示面が表示面保護パネルによって保護される表示装置において、前記表示面保護パネルは、前記表示面の異物を拭き取るための表示面清掃クッションを備える辺を有することを特徴とする。
【００１１】
本発明の表示装置の製造方法は、表示パネルの表示面の異物を拭き取るための表示面清掃クッションを備える辺を有する、前記表示面を保護する表示面保護パネルを、前記表示面清掃クッションが前記表示面に接するように移動させて装着することを特徴とする。
【発明の効果】
【００１２】
本発明によれば、作業効率を低下させずに表示装置の表面を清掃し、また清掃した直後にごみや埃など異物が入り込んでしまう可能性を低減する表示面保護パネル、表示装置および表示装置の製造方法を提供できる。
【図面の簡単な説明】
【００１３】
【図１】本発明の実施形態に係る表示装置の構成を示す図である。
【図２】本発明の実施形態に係る表示面保護パネル装着を示す図である。
【図３】本発明の他の実施形態に係る表示装置の構成を示す図である。
【図４】本発明の実施形態に係る表示面清掃クッション、ラバーの配置を示す図である。
【発明を実施するための形態】
【００１４】
以下、図面を参照して本発明を実施するための形態について詳細に説明する。
【００１５】
図１は、本発明の実施形態に係る表示装置の構成を示す図である。図１に示すように、本発明の実施形態に係る表示装置は、液晶表示装置２００、表面保護パネル１００、カバー３００、ベース４００、パネル固定用カバー５００、から成る。
【００１６】
保護カバー１００の下辺には表示面清掃クッション１０１が、また、上辺にはラバー１０２が表示面にかからないように貼り付けてある。また、液晶表示装置２００に表示面保護パネル１００を装着した時に表示面清掃クッション１０１とラバー１０２が表示装置の枠部分の上下辺の位置に来るのに対し、液晶表示装置２００の左右辺の位置にはラバー２０２が来るように貼り付けてある。
【００１７】
このことにより、図４に示すように、表示面清掃クッション１０１あるいはラバー１０２、２０２が、表示面を取り囲むように上下左右４辺に配置されるため、表示面保護パネル１００と表示面２０１との隙間に埃など異物が入りにくい構造となっている。さらに、液晶表示装置２００自体も、表示面保護パネル１００、カバー３００、ベース４００およびパネル固定用カバー５００により、外部に露出しないよう収納される。
【００１８】
なお、表示装置の組み立て順序の概略は、まず、液晶表示装置２００をベース４００に収納し、カバー３００を表示面の前面側に装着する。カバー３００とベース４００を合わせた箇所の上部にできるスリットから、カバー３００の内側にある通し溝３０１に沿って、表示面保護パネル１００を上から下へ挿入することにより、表示面清掃クッション１０１が液晶表示装置２００の表示面２０１に接触しながら拭き取るように移動する。表示面保護パネル１００の装着後、最後にパネル固定用カバー５００を取り付けて完了する。
【００１９】
図２は、本発明の実施形態に係る表示面保護パネル装着を示す図である。図２（ａ）に示すように、液晶表示装置２００にカバー３００とベース４００に収納された状態となっている。ここで、表示面保護パネル１００の表示面清掃クッション１０１が貼り付けられた辺を先頭にする形で、カバー３００とベース４００の間にできるスリットから挿入する。
【００２０】
次に、図２（ｂ）に示すように、カバー３００の内側にある通し溝３０１に沿って表示面保護パネル１００を通し、表示面清掃クッション１０１が液晶表示装置２００の表示面２０１に接触して移動することで、表示面２０１にある表示面の塵６００が拭き取られる。
【００２１】
最後に、図２（ｃ）に示すように、表示面２０１にある表示面の塵６００が拭き取られ、表示面保護パネル２００を所定の位置まで挿入し、ラバー２０２が液晶表示装置２００に接する状態となって、表示面保護パネル２００の装着が完了する。その後、パネル固定用カバー５００を装着して、表示面保護パネル２００が固定される。なお、図示していないが、液晶表示装置２００のラバー２０２は、表示面保護パネル１００に裏側から接する状態になっており、表示面２０１を取り囲むように４つの辺に、表示面清掃クッション１０１、ラバー１０２および２０２、が配置される形となり、埃など異物が入りにくい構造になっている。
【００２２】
図３は、本発明の他の実施形態に係る表示装置の構成を示す図である。図３に示すように、液晶表示装置２００の側に表示面清掃クッション２０３が貼り付けられ、図１で表示面保護パネル１００の対応する位置にあったラバー１０２は取り除かれている。このことにより、表示面保護パネル１００を表示装置に装着する工程において、液晶表示装置２００の表示面２０１の清掃と同時に、表示面保護パネル１００の裏側も埃など異物を拭き取ることが可能となる。
【００２３】
なお、表示面清掃クッション１０１および２０３は、変形しやすい素材となっており、カバー３００とベース４００を合わせた箇所の上部にできるスリットから、カバー３００の内側にある通し溝３０１に沿って、表示面保護パネル１００を上から下へ挿入する際、最初に、表示面清掃クッション１０１および２０３を共に変形させて表示面保護パネル１００を通して移動させる。
【００２４】
また、図４に示すように、表示面清掃クッション１０１および２０３、ラバー２０２により、表示面を取り囲むように上下左右４辺に配置されるため、表示面保護パネル１００と表示面２０１との隙間に埃など異物が入りにくい構造となっている。
【符号の説明】
【００２５】
１００  表示面保護パネル
１０１、２０３  表示面清掃クッション
１０２、２０２  ラバー
２００  液晶表示装置
２０１  表示面
３００  カバー
３０１  通し溝
４００  ベース
５００  パネル固定用カバー
６００  表示面の塵
【図１】
2011075752.tif 000003
【図２】
2011075752.tif 000004
【図３】
2011075752.tif 000005
【図４】
2011075752.tif 000006